(57)【要約】【課題】本発明は、簡単な構造で雨水等の浸入がなく、木板全体を有効に使用することができる木板取り付け構造を提供することを目的としている。【解決手段】本発明に係る木板の取り付け構造は、木板２の側面部２ａには上下方向に溝３を形成すると共に、溝３からボックスの背面１ａに向かって一部に切り欠き部４を設け、ボックスの背面１ａ内側には木板２を支持するためのリブ５ａ、５ｄを形成すると共に、リブ５ａ、５ｄには木板２に設けられた切り欠き部４に対向する突起部５ｃを設けたことを特徴とする。【選択図】        図１
2004273720.tif 000002
【特許請求の範囲】
【請求項１】
樹脂製のボックスに機器を取り付けるために用いられる木板の前記ボックスへの取り付け構造であって、前記木板の側面には上下方向に溝を形成すると共に、該溝から前記ボックスの背面に向かって一部に切り欠き部を設け、前記ボックスの背面内側には前記木板を支持するためのリブを形成すると共に、該リブには前記木板に設けられた切り欠き部に対向する突起部を設けたことを特徴とする木板取り付け構造。
【請求項２】
前記木板の取り付け構造であって、前記ボックスに設けられたリブの突起部は、上方は細く下方に向かって太く形成し、前記木板を前記ボックスに確実に固定できることを特徴とする木板取り付け構造。
【請求項３】
前記木板の取り付け構造であって、側面には上下方向に溝を形成すると共に、該溝から前記ボックスの背面に向かって一部に切り欠き部を設けた取り付け部材を前記木板の両側部に取り付け、前記ボックスの背面内側には前記木板を支持するためのリブを形成すると共に、該リブには前記取り付け部材に設けられた切り欠き部に対向する突起部を設けたことを特徴とする木板取り付け構造。
【発明の詳細な説明】
【０００１】
【発明の属する技術分野】
本発明は樹脂製のボックスに機器を取り付けるために用いられる木板のボックスへの取り付け構造に関する。
【０００２】
【従来の技術】
従来の木板取り付け構造は、図５に示すように、ボックス２１の背面２１ａに取り付け穴２２を設け、ボックス２１の外側から取り付け穴２２に木ねじ２３を挿通し、直接木板２４を固定していた。
また、ボックスの背面内側に木板取り付け用のボスを形成し、ボックスの内側からワッシャーを介してねじで木板を取り付けていた（例えば特許文献１参照。）。
【０００３】
【特許文献１】
特開平１１−６８３５２号公報
【０００４】
【発明が解決しようとする課題】
しかしながら上記外側から木ねじで木板を取り付ける場合には、ボックスを屋外に設置したとき、背面の取り付け穴から雨水が侵入する虞があった。
また、特開平１１−６８３５２号公報に記載の木板取り付け構造では、図６に示すように、木板２５の端部をねじ２６ではさみこんで固定するため、木板２５の範囲には機器が取り付けられるが、木板２５より大きな機器はねじ頭２６ａに乗り上げてしまい、安定して取り付けることができなかった。
【０００５】
【課題を解決するための手段】
そこで本発明は、簡単な構造で雨水等の浸入がなく、木板全体を有効に使用することができる木板取り付け構造を提供することを目的とし、その構造は、木板の側面には上下方向に溝を形成すると共に、溝からボックスの背面に向かって一部に切り欠き部を設け、ボックスの背面内側には木板を支持するためのリブを形成すると共に、リブには木板に設けられた切り欠き部に対向する突起部を設けたことを特徴とする。
【０００６】
また、ボックスに設けられたリブの突起部は、上方は細く下方に向かって太く形成し、木板をボックスに確実に固定できることを特徴とする。
【０００７】
また、側面には上下方向に溝を形成すると共に、溝からボックスの背面に向かって一部に切り欠き部を設けた取り付け部材を木板の両側部に取り付け、ボックスの背面内側には木板を支持するためのリブを形成すると共に、リブには取り付け部材に設けられた切り欠き部に対向する突起部を設けたことを特徴とする。
【０００８】
【発明の実施の形態】
本発明に係る木板取り付け構造は、木板の側面に溝と溝から背面に向かう切り欠き部とを設けており、ボックスの背面内側にはリブが設けられている。木板の取り付けは、木板の切り欠き部をボックスのリブに対向させて木板の背面をボックスの背面に沿わせ、リブに設けられた突起部を木板の側面に設けられた溝に対向させてスライドし、木板をボックスに取り付ける。
【０００９】
また、木板のリブに設けられた突起部は、上方から下方に向かって太く形成され、木板をボックスに取り付ける際に、突起部を溝に圧入することにより定位置で確実に固定することができる。
【００１０】
また、木板のボックスへの取り付け構造を木板に形成するのではなく、取り付け部材を木板とは別部材にて形成する。取り付け部材の側面には溝と溝から背面に向かう切り欠き部とを設け、背面にはボックスの背面に取り付け可能な取り付け部を形成する。取り付け部材を木板の両側部に取り付け、ボックス背面に木板を取り付ける。取り付け部材は木板の両端部に取り付けられるので幅の異なる木板にも対応できる。
【００１１】
【実施例】
本発明に係る木板取り付け構造の実施例を図１〜図２の添付図面に基づいて説明する。
【００１２】
樹脂製のボックス１に各種機器を取り付けるために、木板２をボックス１に背面１ａ内側に取り付け、木板２に機器を取り付ける。木板２の側面２ａには溝３を設けると共に、この溝３から木板２の背面２ｂに向かって切り欠き部４を、木板２の略中央部と下端部とに設ける。
【００１３】
ボックス１の背面１ａ内側には、木板２の取り付け位置に対向するように、リブ５を下部二カ所、上部二カ所に設ける。下部リブ５ａは、下から木板２を支持するための支持部５ｂを設けている。リブ５には木板２に設けられた溝３に対向する位置に突起部５ｃを形成する。
【００１４】
木板２は中央切り欠き部４ａを上部リブ５ｄの突起部５ｃに対向させ、下端切り欠き部４ｂを下部リブ５ａの突起部５ｃに対向させ、正面から木板２を差し入れ、突起部５ｃを溝３に対向させたあと木板２を下方にスライド移動させる。木板２は支持部５ｂにて支持させる。
【００１５】
本発明の請求項２に係る木板取り付け構造は、ボックス１の背面１ａ内側に設けたリブ５に形成される突起部５ｃを上方から下方に向かって太く形成する。木板２は中央切り欠き部４ａを上部リブ５ｄの突起部５ｃに対向させ、下端切り欠き部４ｂを下部リブ５ａの突起部５ｃに対向させ、正面から木板２を差し入れ、突起部５ｃを溝３に対向させて木板２を下方にスライド移動させる。その際、突起部５ｃがリブ５に圧入される形となり、突起部５ｃの最太の部分で、木板２を固定することができる。
【００１６】
本発明の請求項３に係る木板取り付け構造は、木板８に直接形成するのではなく、取り付け部材９を別部材にて形成する。取り付け部材９の側面には上下方向に溝６を設けると共に、この溝６から木板８の背面に向かって切り欠き部７を、木板８の略中央部と下端部とに設ける。取り付け部材９は木板８の両側部に取り付けて用い、幅寸法の異なる木板８にも取り付け可能とする。
【００１７】
ボックスの背面内側には、木板８の取り付け位置に対向するように、リブを下部二カ所、上部二カ所に設ける。下部リブは、下から木板を支持するための支持部を設けている。リブには木板に設けられた溝に対向する位置に突起部を形成する。
【００１８】
木板８は中央切り欠き部７を上部リブの突起部に対向させ、下端切り欠き部７を下部リブの突起部に対向させ、正面から取り付け部材９を取り付けた木板８を差し入れ、突起部を溝に対向させたあと木板８を下方にスライド移動させる。木板８は支持部にて支持させる。
【００１９】
本発明に係る木板取り付け構造は、以上述べたような形状に限定されるものではなく、例えば、木板の切り欠き部の位置や数を変更してもよく、本発明の趣旨を逸脱しない範囲において適宜変更可能である。
【００２０】
【発明の効果】
以上述べたように本発明は木板の側面部には上下方向に溝を形成すると共に、溝からボックスの背面に向かって一部に切り欠き部を設け、ボックスの背面内側には木板を支持するためのリブを形成すると共に、リブには木板に設けられた切り欠き部に対向する突起部を設けたため、木板の機器取り付け面にはねじ頭などでっぱりがなく、木板全体を有効に使用することができる。また、ボックスの背面には、木板取り付け用に貫通孔を設けていないので、屋外に設置しても雨水等の浸入がなく、品質の向上が得られる。
【００２１】
また、ボックスに設けられたリブの突起部は、上方は細く下方に向かって太く形成し、木板をボックスに確実に固定できるため、木板の取り付けが簡単に行うことができる。
【００２２】
また、側面には上下方向に溝を形成すると共に、溝からボックスの背面に向かって一部に切り欠き部を設けた取り付け部材を木板の両側部に取り付け、ボックスの背面内側には木板を支持するためのリブを形成すると共に、リブには取り付け部材に設けられた切り欠き部に対向する突起部を設けたため、木板の機器取り付け面にはねじ頭などでっぱりがなく、木板全体を有効に使用することができる。また、ボックスの背面には、木板取り付け用に貫通孔を設けていないので、屋外に設置しても雨水等の浸入がなく、品質の向上が得られる。
【図面の簡単な説明】
【図１】本発明に係る木板取り付け構造を示す斜視図である。
【図２】本発明に係る木板取り付け方法を示す説明図である。
【図３】本発明の請求項２に係る木板取り付け構造の突起部拡大図である。
【図４】本発明に係る木板取り付け構造の変形実施例を示す斜視図である。
【図５】従来技術における木板取り付け構造を示す斜視図である。
【図６】従来技術における木板取り付け構造を示す断面図である。
【符号の説明】
１      ボックス
１ａ    背面
２      木板
２ａ    側面
２ｂ    背面
３      溝
４ａ    中央切り欠き部
４ｂ    下端切り欠き部
５ａ    下部リブ
５ｂ    支持部
５ｃ    突起部
５ｄ    上部リブ
６      溝
７      切り欠き部
８      木板
９      別部材
【図１】
2004273720.tif 000003
【図２】
2004273720.tif 000004
【図３】
2004273720.tif 000005
【図４】
2004273720.tif 000006
【図５】
2004273720.tif 000007
【図６】
2004273720.tif 000008